(57)【特許請求の範囲】
【請求項１】
支持体上に２次元マトリクス状に配列された電子放出領域を備えたカソードパネルと、蛍光体層及びアノード電極が設けられたアノードパネルとが外周部で接合されており、カソードパネルとアノードパネルとによって挟まれた空間が真空に保持されている冷陰極電界電子放出表示装置であって、
各電子放出領域は、
（Ａ）支持体上に形成され、第１の方向に延びるカソード電極、
（Ｂ）支持体及びカソード電極上に設けられた絶縁層、
（Ｃ）絶縁層上に形成され、第１の方向とは異なる第２の方向に延びるゲート電極、
（Ｄ）ゲート電極及び絶縁層の部分に設けられた開口部、並びに、
（Ｅ）開口部の底部に露出したカソード電極の部分の上に形成された電子放出部、
から構成されており、
電子放出領域と電子放出領域との間には、第１の方向に延び、支持体上に形成された第１フォーカス電極、及び、第２の方向に延び、絶縁層上に形成された第２フォーカス電極が備えられ、
第１フォーカス電極は、互いに平行に延びる第１番目の第１フォーカス電極及び第２番目の第１フォーカス電極から構成され、
第１番目の第１フォーカス電極に印加される電位は、第２番目の第１フォーカス電極に印加される電位と異なることを特徴とする冷陰極電界電子放出表示装置。
【請求項２】
支持体上に２次元マトリクス状に配列された電子放出領域を備えたカソードパネルと、蛍光体層及びアノード電極が設けられたアノードパネルとが外周部で接合されており、カソードパネルとアノードパネルとによって挟まれた空間が真空に保持されている冷陰極電界電子放出表示装置であって、
各電子放出領域は、
（Ａ）支持体上に形成され、第１の方向に延びるカソード電極、
（Ｂ）支持体及びカソード電極上に設けられた絶縁層、
（Ｃ）絶縁層上に形成され、第１の方向とは異なる第２の方向に延びるゲート電極、
（Ｄ）ゲート電極及び絶縁層の部分に設けられた開口部、並びに、
（Ｅ）開口部の底部に露出したカソード電極の部分の上に形成された電子放出部、
から構成されており、
電子放出領域と電子放出領域との間には、第１の方向に延び、支持体上に形成された第１フォーカス電極、及び、第２の方向に延び、絶縁層上に形成された第２フォーカス電極が備えられ、
カソードパネルとアノードパネルとの間には、局所的に、第２の方向に延びるスペーサが配置されており、
スペーサに隣接した第２フォーカス電極に印加される電位と、スペーサに隣接していない第２フォーカス電極に印加される電位とは異なることを特徴とする冷陰極電界電子放出表示装置。
【請求項３】
支持体上に２次元マトリクス状に配列された電子放出領域を備えたカソードパネルと、蛍光体層及びアノード電極が設けられたアノードパネルとが外周部で接合されており、カソードパネルとアノードパネルとによって挟まれた空間が真空に保持されている冷陰極電界電子放出表示装置であって、
各電子放出領域は、
（Ａ）支持体上に形成され、第１の方向に延びるカソード電極、
（Ｂ）支持体及びカソード電極上に設けられた絶縁層、
（Ｃ）絶縁層上に形成され、第１の方向とは異なる第２の方向に延びるゲート電極、
（Ｄ）ゲート電極及び絶縁層の部分に設けられた開口部、並びに、
（Ｅ）開口部の底部に露出したカソード電極の部分の上に形成された電子放出部、
から構成されており、
電子放出領域と電子放出領域との間には、第１の方向に延び、支持体上に形成された第１フォーカス電極、及び、第２の方向に延び、絶縁層上に形成された第２フォーカス電極が備えられ、
カソードパネルとアノードパネルとの間には、局所的に、第２の方向に延びるスペーサが配置されており、
スペーサの下方に位置する第２フォーカス電極は一端で第１の第２共通電極に接続され、それ以外の第２フォーカス電極は一端で第２の第２共通電極に接続されていることを特徴とする冷陰極電界電子放出表示装置。
【発明の詳細な説明】
【技術分野】
【０００１】
本発明は、フォーカス電極に特徴を有する冷陰極電界電子放出表示装置に関する。
【背景技術】
【０００２】
テレビジョン受像機や情報端末機器に用いられる表示装置の分野では、従来主流の陰極線管（ＣＲＴ）から、薄型化、軽量化、大画面化、高精細化の要求に応え得る平面型（フラットパネル型）の表示装置への移行が急速に進んでいる。このような平面型の表示装置として、液晶表示装置（ＬＣＤ）、エレクトロルミネッセンス表示装置（ＥＬＤ）、プラズマ表示装置（ＰＤＰ）、冷陰極電界電子放出表示装置（ＦＥＤ：フィールドエミッションディスプレイ）を例示することができる。このなかでも、液晶表示装置は情報端末機器用の表示装置として広く普及しているが、据置き型のテレビジョン受像機に適用するには、高輝度化や高速応答性に未だ課題を残している。これに対して、冷陰極電界電子放出表示装置は、熱的励起によらず、量子トンネル効果に基づき固体から真空中に電子を放出することが可能な冷陰極電界電子放出素子（以下、電界放出素子と呼ぶ場合がある）を備えており、高輝度、高速応答性、低消費電力の点から注目を集めている。
【０００３】
図１９に、電界放出素子を備えた冷陰極電界電子放出表示装置（以下、表示装置と呼ぶ場合がある）の構成例を示す。図示した電界放出素子は、円錐形の電子放出部を有する、所謂スピント（Ｓｐｉｎｄｔ）型電界放出素子と呼ばれるタイプの素子である。この電界放出素子は、支持体１０上に形成されたカソード電極１１と、支持体１０及びカソード電極１１上に形成された絶縁層１２と、絶縁層１２上に形成されたゲート電極１３と、ゲート電極１３及び絶縁層１２に設けられた開口部１４と、開口部１４の底部に位置するカソード電極１１上に形成された円錐形の電子放出部１５から構成されている。一般に、カソード電極１１とゲート電極１３とは、これらの両電極の射影像が互いに直交する方向に各々帯状に形成されており、これらの両電極の射影像が重複する領域（１画素分の領域に相当する。この領域を、以下、電子放出領域ＥＡと呼ぶ）に、通常、複数の電界放出素子が設けられている。更に、かかる電子放出領域ＥＡが、カソードパネルＣＰの有効領域（実際の表示部分として機能する領域）内に、通常、２次元マトリクス状に配列されている。
【０００４】
一方、アノードパネルＡＰは、基板２０と、基板２０上に形成され、所定のパターンを有する蛍光体層２２と、その上に形成されたアノード電極２３から構成されている。１画素は、カソードパネル側のカソード電極１１とゲート電極１３との重複領域（電子放出領域ＥＡ）に設けられた電界放出素子の一群と、これらの電界放出素子の一群に対面したアノードパネル側の蛍光体層２２とによって構成されている。有効領域には、かかる画素が、例えば数十万〜数百万個ものオーダーにて配列されている。尚、蛍光体層２２と蛍光体層２２との間の基板２０上には、ブラックマトリックス２１が形成されている。
【０００５】
アノードパネルＡＰとカソードパネルＣＰとを、電界放出素子と蛍光体層２２とが対向するように配置し、周縁部において接合部材２４を介して接合することによって、表示装置を作製することができる。有効領域を包囲し、画素を選択するための周辺回路が形成された無効領域（図示した例では、カソードパネルＣＰの無効領域）には、真空排気用の貫通孔（図示せず）が設けられており、この貫通孔には真空排気後に封じ切られた排気管（図示せず）が接続されている。即ち、アノードパネルＡＰとカソードパネルＣＰと接合部材２４とによって囲まれた空間は真空となっている。
【０００６】
このような表示装置においては、電子放出部１５から電子が或る程度の発散角をもって放出される（図２０参照）。従って、画素の大きさ（蛍光体層２２の大きさ）によっては、電子放出部１５から放出された電子の全てが電子放出部１５と対向した領域に位置する蛍光体層２２に衝突せず、表示装置全体の消費電力に対する輝度効率が低下するといった問題や、電子放出部１５から放出された電子が隣接する画素を構成する蛍光体層２２に衝突する結果、光学的クロストークが発生するといった問題が生じる。表示装置の精細化に伴い、画素が小さくなるに従い、これらの問題は一層顕著になる。
【０００７】
これらの問題を解決するための手段として、フォーカス電極（収束電極）を設ける技術が、例えば、特開平４−５００４２４や特開２００２−２３１１２４から公知である。フォーカス電極は、電子光学の見地からは、電子収束レンズとしての役割を担う。そして、電子が通過する空間近傍の等電位面を湾曲させ、電子の軌道を収束させる。尚、このようなフォーカス電極の及ぼす作用を、便宜上、フォーカス作用と呼ぶ。
【０００８】
【特許文献１】特開平４−５００４２４
【特許文献２】特開２００２−２３１１２４
【発明の開示】
【発明が解決しようとする課題】
【０００９】
ところで、特開平４−５００４２４や特開２００２−２３１１２４に開示された技術にあっては、ゲート電極の両側の絶縁層の部分にフォーカス電極が設けられている。従って、このような構成では、フォーカス電極は、ゲート電極１３の延びる方向と直交する方向、即ち、カソード電極１１の延びる方向と平行な方向のみにフォーカス作用を及ぼすだけである。また、特開２００２−２３１１２４には、カソード電極とカソード電極の間の領域の上方に配設され、カソード電極と平行に延びる第２のフォーカス電極を更に備えている構造も開示されている。このような構造を採用することで、フォーカス電極は、全体として、カソード電極１１の延びる方向と平行な方向、及び、ゲート電極１３の延びる方向と平行な方向の両方向にフォーカス作用を及ぼす。しかしながら、フォーカス電極及び第２のフォーカス電極を有するこのような構造は複雑である。
【００１０】
従って、本発明の目的は、簡素な構造であるにも拘わらず、カソード電極の延びる方向と平行な方向及びゲート電極の延びる方向と平行な方向の両方向に、互いに独立して、フォーカス作用を及ぼすことができるフォーカス電極を備えた冷陰極電界電子放出表示装置を提供することにある。
【課題を解決するための手段】
【００１１】
上記の目的を達成するための本発明の冷陰極電界電子放出表示装置は、支持体上に２次元マトリクス状に配列された電子放出領域を備えたカソードパネルと、蛍光体層及びアノード電極が設けられたアノードパネルとが外周部で接合されており、カソードパネルとアノードパネルとによって挟まれた空間が真空に保持されている冷陰極電界電子放出表示装置であって、
各電子放出領域は、
（Ａ）支持体上に形成され、第１の方向に延びるカソード電極、
（Ｂ）支持体及びカソード電極上に設けられた絶縁層、
（Ｃ）絶縁層上に形成され、第１の方向とは異なる第２の方向に延びるゲート電極、
（Ｄ）ゲート電極及び絶縁層の部分に設けられた開口部、並びに、
（Ｅ）開口部の底部に露出したカソード電極の部分の上に形成された電子放出部、
から構成されており、
電子放出領域と電子放出領域との間には、第１の方向に延び、支持体上に形成された第１フォーカス電極、及び、第２の方向に延び、絶縁層上に形成された第２フォーカス電極が備えられ、
第１フォーカス電極は、互いに平行に延びる第１番目の第１フォーカス電極及び第２番目の第１フォーカス電極から構成され、
第１番目の第１フォーカス電極に印加される電位は、第２番目の第１フォーカス電極に印加される電位と異なることを特徴とする。
【００１２】
本発明の冷陰極電界電子放出表示装置において、第１フォーカス電極は一端で第１共通電極に接続されており、第２フォーカス電極は一端で第２共通電極に接続されている構成とすることができる。尚、このような構成を、便宜上、第１の構成の冷陰極電界電子放出表示装置と呼ぶ。ここで、第１共通電極及び第２共通電極はフォーカス電極制御回路に接続されている。以下においても同様である。このような形態を採用することで、第１フォーカス電極及び第２フォーカス電極への電位の供給の簡素化を図ることができる。但し、このような構成に限定するものではなく、各第１フォーカス電極が個別にフォーカス電極制御回路に接続され、各第２フォーカス電極が個別にフォーカス電極制御回路に接続されている構成、各第１フォーカス電極がグルーピングされてフォーカス電極制御回路に接続され、各第２フォーカス電極がグルーピングされてフォーカス電極制御回路に接続されている構成を採用することもできる。
【００１３】
あるいは又、本発明の冷陰極電界電子放出表示装置において、第２フォーカス電極は、互いに平行に延びる第１番目の第２フォーカス電極及び第２番目の第２フォーカス電極から構成されている形態とすることができる。尚、このような形態を、便宜上、第２の構成の冷陰極電界電子放出表示装置と呼ぶ。そして、この場合、第１番目の第２フォーカス電極に印加される電位は、第２番目の第２フォーカス電極に印加される電位と異なる構成とすることができる。これらの形態、構成を採用することで、第２フォーカス電極が及ぼすフォーカス作用の制御を、より緻密に、且つ、正確に行うことができる。
【００１４】
更には、このような形態、構成を含む第２の構成を含む本発明の冷陰極電界電子放出表示装置において、第１フォーカス電極は、互いに平行に延びる第１番目の第１フォーカス電極及び第２番目の第１フォーカス電極から構成されている形態とすることができる。そして、この場合、第１番目の第１フォーカス電極に印加される電位は、第２番目の第１フォーカス電極に印加される電位と異なる構成とすることができる。これらの形態、構成を採用することで、第１フォーカス電極が及ぼすフォーカス作用の制御を、より緻密に、且つ、正確に行うことができる。
【００１５】
尚、これらの構成を含む第２の構成の冷陰極電界電子放出表示装置において、第１番目の第１フォーカス電極は一端で第１の第１共通電極に接続され、第２番目の第１フォーカス電極は一端で第２の第１共通電極に接続されている形態とすることができ、及び／又は、第１番目の第２フォーカス電極は一端で第１の第２共通電極に接続され、第２番目の第２フォーカス電極は一端で第２の第２共通電極に接続されている形態とすることができる。但し、このような構成に限定するものではなく、各第１番目の第１フォーカス電極が個別にフォーカス電極制御回路に接続され、各第２番目の第１フォーカス電極が個別にフォーカス電極制御回路に接続され、各第１番目の第２フォーカス電極が個別にフォーカス電極制御回路に接続され、各第２番目の第２フォーカス電極が個別にフォーカス電極制御回路に接続されている構成、各第１番目の第１フォーカス電極がグルーピングされてフォーカス電極制御回路に接続され、各第２番目の第１フォーカス電極がグルーピングされてフォーカス電極制御回路に接続され、各第１番目の第２フォーカス電極がグルーピングされてフォーカス電極制御回路に接続され、各第２番目の第２フォーカス電極がグルーピングされてフォーカス電極制御回路に接続されている構成を採用することもできる。
【００１６】
本発明の冷陰極電界電子放出表示装置は、支持体上に２次元マトリクス状に配列された電子放出領域を備えたカソードパネルと、蛍光体層及びアノード電極が設けられたアノードパネルとが外周部で接合されており、カソードパネルとアノードパネルとによって挟まれた空間が真空に保持されている冷陰極電界電子放出表示装置であって、
各電子放出領域は、
（Ａ）支持体上に形成され、第１の方向に延びるカソード電極、
（Ｂ）支持体及びカソード電極上に設けられた絶縁層、
（Ｃ）絶縁層上に形成され、第１の方向とは異なる第２の方向に延びるゲート電極、
（Ｄ）ゲート電極及び絶縁層の部分に設けられた開口部、並びに、
（Ｅ）開口部の底部に露出したカソード電極の部分の上に形成された電子放出部、
から構成されており、
電子放出領域と電子放出領域との間には、第１の方向に延び、支持体上に形成された第１フォーカス電極、及び、第２の方向に延び、絶縁層上に形成された第２フォーカス電極が備えられ、
カソードパネルとアノードパネルとの間には、局所的に、第２の方向に延びるスペーサが配置されており、
スペーサに隣接した第２フォーカス電極に印加される電位と、スペーサに隣接していない第２フォーカス電極に印加される電位とは異なることを特徴とする。
【００１７】
本発明の冷陰極電界電子放出表示装置は、支持体上に２次元マトリクス状に配列された電子放出領域を備えたカソードパネルと、蛍光体層及びアノード電極が設けられたアノードパネルとが外周部で接合されており、カソードパネルとアノードパネルとによって挟まれた空間が真空に保持されている冷陰極電界電子放出表示装置であって、
各電子放出領域は、
（Ａ）支持体上に形成され、第１の方向に延びるカソード電極、
（Ｂ）支持体及びカソード電極上に設けられた絶縁層、
（Ｃ）絶縁層上に形成され、第１の方向とは異なる第２の方向に延びるゲート電極、
（Ｄ）ゲート電極及び絶縁層の部分に設けられた開口部、並びに、
（Ｅ）開口部の底部に露出したカソード電極の部分の上に形成された電子放出部、
から構成されており、
電子放出領域と電子放出領域との間には、第１の方向に延び、支持体上に形成された第１フォーカス電極、及び、第２の方向に延び、絶縁層上に形成された第２フォーカス電極が備えられ、
カソードパネルとアノードパネルとの間には、局所的に、第２の方向に延びるスペーサが配置されており、
スペーサの下方に位置する第２フォーカス電極は一端で第１の第２共通電極に接続され、それ以外の第２フォーカス電極は一端で第２の第２共通電極に接続されていることを特徴とする。
【００１８】
以上に説明した種々の好ましい形態、構成を含む本発明の冷陰極電界電子放出表示装置における電子放出領域は、以下の方法で製造することができる。
（１）支持体上にカソード電極及び第１フォーカス電極を形成する工程、
（２）全面（支持体、カソード電極、及び、第１フォーカス電極上）に絶縁層を形成する工程、
（３）絶縁層上にゲート電極及び第２フォーカス電極を形成する工程、
（４）カソード電極とゲート電極との重複領域におけるゲート電極及び絶縁層の部分に開口部を形成し、開口部の底部にカソード電極を露出させる工程、
（５）開口部の底部に位置するカソード電極上に電子放出部を形成する工程。
【００１９】
あるいは又、以上に説明した種々の好ましい形態、構成を含む本発明の冷陰極電界電子放出表示装置における電子放出領域は、以下の方法で製造することができる。
（１）支持体上にカソード電極及び第１フォーカス電極を形成する工程、
（２）カソード電極上に電子放出部を形成する工程、
（３）全面（支持体、第１フォーカス電極、及び、電子放出部上、あるいは、支持体、カソード電極、第１フォーカス電極、及び、電子放出部上）に絶縁層を形成する工程、
（４）絶縁層上にゲート電極及び第２フォーカス電極を形成する工程、
（５）カソード電極とゲート電極との重複領域におけるゲート電極及び絶縁層の部分に開口部を形成し、開口部の底部に電子放出部を露出させる工程。
【００２０】
本発明における冷陰極電界電子放出素子（以下、電界放出素子と略称する）として、スピント型電界放出素子（円錐形の電子放出部が、開口部の底部に位置するカソード電極の上に設けられた電界放出素子）を挙げることができるが、これに限定するものではなく、例えば、扁平型電界放出素子（略平面の電子放出部が、開口部の底部に位置するカソード電極の上に設けられた電界放出素子）等、如何なる構成、構造の電界放出素子とすることもできる。ここで、スピント型電界放出素子における電子放出部を構成する材料として、モリブデン、モリブデン合金、タングステン、タングステン合金、チタン、チタン合金、ニオブ、ニオブ合金、タンタル、タンタル合金、クロム、クロム合金、及び、不純物を含有するシリコン（ポリシリコンやアモルファスシリコン）から成る群から選択された少なくとも１種類の材料を挙げることができる。スピント型電界放出素子の電子放出部は、スパッタリング法や真空蒸着法といった各種物理的気相成長法（ＰＶＤ法）、各種化学的気相成長法（ＣＶＤ法）によって形成することができる。
【００２１】
カソードパネルにおいて、カソード電極の射影像とゲート電極の射影像とは直交することが、即ち、仮想平面に投影した第１の方向と第２の方向とは直交することが、冷陰極電界電子放出表示装置の構造の簡素化といった観点から好ましい。カソード電極とゲート電極とが重複する重複領域が電子放出領域に該当し、電子放出領域がカソードパネルの有効領域に２次元マトリクス状に配列されている。各電子放出領域には、１又は複数の電界放出素子が設けられている。
【００２２】
冷陰極電界電子放出表示装置にあっては、カソード電極及びゲート電極に印加された電圧によって生じた強電界が電子放出部に加わる結果、量子トンネル効果により電子放出部から電子が放出される。そして、この電子は、アノードパネルに設けられたアノード電極によってアノードパネルへと引き付けられ、蛍光体層に衝突する。そして、蛍光体層への電子の衝突の結果、蛍光体層が発光し、画像として認識することができる。
【００２３】
冷陰極電界電子放出表示装置において、カソード電極はカソード電極制御回路に接続され、ゲート電極はゲート電極制御回路に接続され、アノード電極はアノード電極制御回路に接続されている。尚、これらの制御回路は周知の回路から構成することができる。実動作時、アノード電極制御回路からアノード電極に印加される電圧（アノード電圧）ＶAは、通常、一定であり、例えば、５キロボルト〜１５キロボルトとすることができる。あるいは又、アノードパネルとカソードパネルとの間の距離をｄ0（但し、０．５ｍｍ≦ｄ0≦１０ｍｍ）としたとき、ＶA／ｄ0（単位：キロボルト／ｍｍ）の値は、０．５以上２０以下、好ましくは１以上１０以下、一層好ましくは４以上８以下を満足することが望ましい。冷陰極電界電子放出表示装置の実動作時、カソード電極に印加する電圧ＶC及びゲート電極に印加する電圧ＶGに関しては、階調制御方式として電圧変調方式やパルス幅変調方式を採用することができる。
【００２４】
第１フォーカス電極及び第２フォーカス電極は、開口部から放出され、アノード電極へ向かう放出電子の軌道を収束させ、以て、輝度の向上や隣接画素間の光学的クロストークの防止を可能とするために設けられている。そして、第１フォーカス電極及び第２フォーカス電極には、フォーカス電極制御回路から、少なくとも第１フォーカス電極及び第２フォーカス電極が隣接している電子放出領域が作動している間、例えば、第１共通電極及び第２共通電極を介して適切な電位が与えられる。フォーカス電極制御回路、それ自体は、周知の回路から構成することができる。
【００２５】
ゲート電極やカソード電極、第１フォーカス電極、第２フォーカス電極、第１共通電極、第２共通電極を構成する材料として、タングステン（Ｗ）、ニオブ（Ｎｂ）、タンタル（Ｔａ）、モリブデン（Ｍｏ）、クロム（Ｃｒ）、アルミニウム（Ａｌ）、チタン（Ｔｉ）、金（Ａｕ）、銀（Ａｇ）、銅（Ｃｕ）、ニッケル（Ｎｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金（例えばＭｏＷ）あるいは化合物（例えば、ＴｉＷ；ＴｉＮやＷＮ等の窒化物；ＷＳｉ2、ＭｏＳｉ2、ＴｉＳｉ2、ＴａＳｉ2等のシリサイド）；シリコン（Ｓｉ）等の半導体；ダイヤモンド等の炭素薄膜；ＩＴＯ（酸化インジウム−錫）、酸化インジウム、酸化亜鉛等の導電性金属酸化物を例示することができる。また、ゲート電極やカソード電極、第１フォーカス電極、第２フォーカス電極、第１共通電極、第２共通電極を、これらの材料の単層構造あるいは積層構造とすることができる。
【００２６】
ゲート電極やカソード電極、第１フォーカス電極、第２フォーカス電極、第１共通電極、第２共通電極の形成方法として、例えば、電子ビーム蒸着法や熱フィラメント蒸着法といった真空蒸着法やスパッタリング法、イオンプレーティング法を含む各種ＰＶＤ法、各種ＣＶＤ法とエッチング法との組合せ；スクリーン印刷法やインクジェット印刷法、メタルマスク印刷法といった各種印刷法；メッキ法（電気メッキ法や無電解メッキ法）；リフトオフ法；レーザアブレーション法；ゾル−ゲル法等を挙げることができる。各種印刷法やメッキ法によれば、直接、例えば帯状の各種電極を形成することが可能である。
【００２７】
絶縁層の構成材料として、ＳｉＯ2、ＢＰＳＧ、ＰＳＧ、ＢＳＧ、ＡｓＳＧ、ＰｂＳＧ、ＳｉＯＮ、ＳＯＧ（スピンオングラス）、低融点ガラス、ガラスペーストといったＳｉＯ2系材料；ＳｉＮ系材料；ポリイミド等の絶縁性樹脂を、単独あるいは、適宜、組み合わせて使用することができる。絶縁層の形成には、各種ＣＶＤ法、塗布法、スパッタリング法、各種印刷法等の公知のプロセスが利用できる。
【００２８】
開口部（ゲート電極に形成された第１開口部あるいは絶縁層に形成された第２開口部）の平面形状（支持体表面と平行な仮想平面で開口部を切断したときの形状）は、円形、楕円形、矩形、多角形、丸みを帯びた矩形、丸みを帯びた多角形等、任意の形状とすることができる。第１開口部の形成は、例えば、異方性エッチング、等方性エッチング、異方性エッチングと等方性エッチングの組合せによって行うことができ、あるいは又、ゲート電極の形成方法に依っては、第１開口部を、直接、形成することもできる。第２開口部の形成も、例えば、異方性エッチング、等方性エッチング、異方性エッチングと等方性エッチングの組合せによって行うことができる。
【００２９】
電界放出素子においては、電界放出素子の構造に依存するが、１つの開口部内に１つの電子放出部が存在してもよいし、１つの開口部内に複数の電子放出部が存在してもよいし、ゲート電極に複数の第１開口部を設け、係る第１開口部と連通する１つの第２開口部を絶縁層に設け、絶縁層に設けられた１つの第２開口部内に１又は複数の電子放出部が存在してもよい。
【００３０】
電界放出素子において、カソード電極と電子放出部との間に抵抗体膜を設けてもよい。抵抗体膜を設けることによって、電界放出素子の動作安定化、電子放出特性の均一化、カソード電極とゲート電極との間のリーク電流の抑制を図ることができる。抵抗体膜を構成する材料として、シリコンカーバイド（ＳｉＣ）やＳｉＣＮといったカーボン系材料、ＳｉＮ、アモルファスシリコン等の半導体材料、酸化ルテニウム（ＲｕＯ2）、酸化タンタル、窒化タンタル等の高融点金属酸化物や高融点金属窒化物を例示することができる。抵抗体膜の形成方法として、スパッタリング法や、各種ＣＶＤ法、各種印刷法を例示することができる。１つの電子放出部当たりの電気抵抗値は、概ね１×１０5〜１×１０11Ω、好ましくは数ＭΩ〜数十ギガΩとすればよい。尚、抵抗体膜が第１フォーカス電極上に形成されていても、何ら問題はない。
【００３１】
カソードパネルを構成する支持体、あるいは又、アノードパネルを構成する基板は、これらの基板が相互に対向する面が絶縁性部材から構成されていればよく、ガラス基板、表面に絶縁被膜が形成されたガラス基板、石英基板、表面に絶縁被膜が形成された石英基板、表面に絶縁被膜が形成された半導体基板を挙げることができるが、製造コスト低減の観点からは、ガラス基板、あるいは、表面に絶縁被膜が形成されたガラス基板を用いることが好ましい。ガラス基板として、高歪点ガラス、低アルカリガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）、無アルカリガラスを例示することができる。
【００３２】
冷陰極電界電子放出表示装置において、アノード電極と蛍光体層の構成例として、
（１）基板上に、アノード電極を形成し、アノード電極の上に蛍光体層を形成する構成
（２）基板上に、蛍光体層を形成し、蛍光体層上にアノード電極を形成する構成
を挙げることができる。尚、（１）の構成において、蛍光体層の上に、アノード電極と導通した所謂メタルバック膜を形成してもよい。また、（２）の構成において、アノード電極の上にメタルバック膜を形成してもよい。メタルバック膜自体にアノード電極としての機能を持たせてもよい。
【００３３】
アノード電極は、全体として１つのアノード電極から構成されていてもよいし、複数のアノード電極ユニットから構成されていてもよい。後者の場合、アノード電極ユニットとアノード電極ユニットとはアノード電極抵抗体層によって電気的に接続されていることが望ましい。アノード電極抵抗体層を構成する材料として、カーボン、シリコンカーバイド（ＳｉＣ）やＳｉＣＮといったカーボン系材料；ＳｉＮ系材料；酸化ルテニウム（ＲｕＯ2）、酸化タンタル、窒化タンタル、酸化クロム、酸化チタン等の高融点金属酸化物や高融点金属窒化物；アモルファスシリコン等の半導体材料；ＩＴＯを挙げることができる。また、ＳｉＣ抵抗膜上に抵抗値の低いカーボン薄膜を積層するといった複数の膜の組み合わせにより、安定した所望のシート抵抗値を実現することも可能である。アノード電極抵抗体層のシート抵抗値として、１×１０-1Ω／□乃至１×１０10Ω／□、好ましくは１×１０3Ω／□乃至１×１０8Ω／□を例示することができる。アノード電極ユニットの数（Ｑ）は２以上であればよく、例えば、直線上に配列された蛍光体層の列の総数をｑ列としたとき、Ｑ＝ｑとし、あるいは、ｑ＝ｋ・Ｑ（ｋは２以上の整数であり、好ましくは１０≦ｋ≦１００、一層好ましくは２０≦ｋ≦５０）としてもよいし、一定の間隔をもって配置されたスペーサの数に１を加えた数とすることができるし、ピクセルの数あるいはサブピクセルの数と一致した数、あるいは、ピクセルの数あるいはサブピクセルの数の整数分の一とすることもできる。また、各アノード電極ユニットの大きさは、アノード電極ユニットの位置に拘わらず同じとしてもよいし、アノード電極ユニットの位置に依存して異ならせてもよい。全体として１つのアノード電極の上にアノード電極抵抗体層を形成してもよい。
【００３４】
アノード電極（アノード電極ユニットを包含する）は、導電材料層を用いて形成すればよい。導電材料層の形成方法として、例えば、電子ビーム蒸着法や熱フィラメント蒸着法といった真空蒸着法、スパッタリング法、イオンプレーティング法、レーザアブレーション法といった各種ＰＶＤ法；各種ＣＶＤ法；各種印刷法；メタルマスク印刷法；リフトオフ法；ゾル−ゲル法等を挙げることができる。即ち、導電材料から成る導電材料層を形成し、リソグラフィ技術及びエッチング技術に基づき、この導電材料層をパターニングしてアノード電極を形成することができる。あるいは又、アノード電極のパターンを有するマスクやスクリーンを介して導電材料を各種ＰＶＤ法や各種印刷法に基づき形成することによって、アノード電極を得ることもできる。尚、アノード電極抵抗体層も同様の方法で形成することができる。即ち、抵抗体材料からアノード電極抵抗体層を形成し、リソグラフィ技術及びエッチング技術に基づきこのアノード電極抵抗体層をパターニングしてもよいし、あるいは、アノード電極抵抗体層のパターンを有するマスクやスクリーンを介して抵抗体材料の各種ＰＶＤ法や各種印刷法に基づく形成により、アノード電極抵抗体層を得ることができる。基板上（あるいは基板上方）におけるアノード電極の平均厚さ（後述するように隔壁を設ける場合、隔壁の頂面上におけるアノード電極の平均厚さ）として、３×１０-8ｍ（３０ｎｍ）乃至１×１０-6ｍ（１μｍ）、好ましくは５×１０-8ｍ（５０ｎｍ）乃至５×１０-7ｍ（０．５μｍ）を例示することができる。
【００３５】
アノード電極の構成材料として、モリブデン（Ｍｏ）、アルミニウム（Ａｌ）、クロム（Ｃｒ）、タングステン（Ｗ）、ニオブ（Ｎｂ）、タンタル（Ｔａ）、金（Ａｕ）、銀（Ａｇ）、チタン（Ｔｉ）、コバルト（Ｃｏ）、ジルコニウム（Ｚｒ）、鉄（Ｆｅ）、白金（Ｐｔ）、亜鉛（Ｚｎ）等の金属；これらの金属元素を含む合金あるいは化合物（例えばＴｉＮ等の窒化物や、ＷＳｉ2、ＭｏＳｉ2、ＴｉＳｉ2、ＴａＳｉ2等のシリサイド）；シリコン（Ｓｉ）等の半導体；ダイヤモンドやグラファイト等の炭素薄膜；ＩＴＯ（酸化インジウム−錫）、酸化インジウム、酸化亜鉛等の導電性金属酸化物を例示することができる。尚、アノード電極抵抗体層を形成する場合、アノード電極抵抗体層の電気抵抗値を変化させない導電材料からアノード電極を構成することが好ましく、例えば、アノード電極抵抗体層をシリコンカーバイド（ＳｉＣ）から構成した場合、アノード電極をモリブデン（Ｍｏ）やアルミニウム（Ａｌ）から構成することが好ましい。
【００３６】
蛍光体層は、単色の蛍光体粒子から構成されていても、３原色の蛍光体粒子から構成されていてもよい。蛍光体層の配列様式は、例えば、ドット状である。具体的には、冷陰極電界電子放出表示装置がカラー表示の場合、蛍光体層の配置、配列として、デルタ配列、ストライプ配列、ダイアゴナル配列、レクタングル配列を挙げることができる。即ち、直線上に配列された蛍光体層の１列は、全てが赤色発光蛍光体層で占められた列、緑色発光蛍光体層で占められた列、及び、青色発光蛍光体層で占められた列から構成されていてもよいし、赤色発光蛍光体層、緑色発光蛍光体層、及び、青色発光蛍光体層が順に配置された列から構成されていてもよい。ここで、蛍光体層とは、冷陰極電界電子放出表示装置において１つの輝点を生成する蛍光体領域であると定義する。また、１画素（１ピクセル）は、１つの赤色発光蛍光体層、１つの緑色発光蛍光体層、及び、１つの青色発光蛍光体層の集合から構成され、１サブピクセルは、１つの蛍光体層（１つの赤色発光蛍光体層、あるいは、１つの緑色発光蛍光体層、あるいは、１つの青色発光蛍光体層）から構成される。尚、隣り合う蛍光体層の間の隙間がコントラスト向上を目的とした光吸収層（ブラックマトリックス）で埋め込まれていてもよい。
【００３７】
蛍光体層は、発光性結晶粒子から調製された発光性結晶粒子組成物を使用し、例えば、赤色の感光性の発光性結晶粒子組成物（赤色発光蛍光体スラリー）を全面に塗布し、露光、現像して、赤色発光蛍光体層を形成し、次いで、緑色の感光性の発光性結晶粒子組成物（緑色発光蛍光体スラリー）を全面に塗布し、露光、現像して、緑色発光蛍光体層を形成し、更に、青色の感光性の発光性結晶粒子組成物（青色発光蛍光体スラリー）を全面に塗布し、露光、現像して、青色発光蛍光体層を形成する方法にて形成することができる。また、スクリーン印刷法やインクジェット印刷法、フロート塗布法、沈降塗布法、蛍光体フィルム転写法等により各蛍光体層を形成してもよい。基板上における蛍光体層の平均厚さは、限定するものではないが、３μｍ乃至２０μｍ、好ましくは５μｍ乃至１０μｍであることが望ましい。発光性結晶粒子を構成する蛍光体材料としては、従来公知の蛍光体材料の中から、適宜、選択して用いることができる。カラー表示の場合、色純度がＮＴＳＣで規定される３原色に近く、３原色を混合した際の白バランスがとれ、残光時間が短く、３原色の残光時間がほぼ等しくなる蛍光体材料を組み合わせることが好ましい。
【００３８】
蛍光体層からの光を吸収する光吸収層が、隣り合う蛍光体層の間、あるいは、後述する隔壁と基板との間に形成されていることが、表示画像のコントラスト向上といった観点から好ましい。ここで、光吸収層は、所謂ブラックマトリックスとして機能する。光吸収層を構成する材料として、蛍光体層からの光を９０％以上吸収する材料を選択することが好ましい。このような材料として、カーボン、金属薄膜（例えば、クロム、ニッケル、アルミニウム、モリブデン等、あるいは、これらの合金）、金属酸化物（例えば、酸化クロム）、金属窒化物（例えば、窒化クロム）、耐熱性有機樹脂、ガラスペースト、黒色顔料や銀等の導電性粒子を含有するガラスペースト等の材料を挙げることができ、具体的には、感光性ポリイミド樹脂、酸化クロムや、酸化クロム／クロム積層膜を例示することができる。尚、酸化クロム／クロム積層膜においては、クロム膜が基板と接する。光吸収層は、例えば、真空蒸着法やスパッタリング法とエッチング法との組合せ、真空蒸着法やスパッタリング法、スピンコーティング法とリフトオフ法との組合せ、各種印刷法、リソグラフィ技術等、使用する材料に依存して、適宜、選択された方法にて形成することができる。
【００３９】
蛍光体層から反跳した電子、あるいは、蛍光体層から放出された２次電子が他の蛍光体層に入射し、所謂光学的クロストーク（色濁り）が発生することを防止するために、隔壁を設けることが好ましい。隔壁の形成方法として、スクリーン印刷法、ドライフィルム法、感光法、キャスティング法、サンドブラスト形成法を例示することができる。ここで、スクリーン印刷法とは、隔壁を形成すべき部分に対応するスクリーンの部分に開口が形成されており、スクリーン上の隔壁形成用材料をスキージを用いて開口を通過させ、基板上に隔壁形成用材料層を形成した後、係る隔壁形成用材料層を焼成する方法である。ドライフィルム法とは、基板上に感光性フィルムをラミネートし、露光及び現像によって隔壁形成予定部位の感光性フィルムを除去し、除去によって生じた開口に隔壁形成用材料を埋め込み、焼成する方法である。感光性フィルムは焼成によって燃焼、除去され、開口に埋め込まれた隔壁形成用材料が残り、隔壁となる。感光法とは、基板上に感光性を有する隔壁形成用材料層を形成し、露光及び現像によってこの隔壁形成用材料層をパターニングした後、焼成（硬化）を行う方法である。キャスティング法（型押し成形法）とは、ペースト状とした有機材料あるいは無機材料から成る隔壁形成用材料層を型（キャスト）から基板上に押し出すことで隔壁形成用材料層を形成した後、係る隔壁形成用材料層を焼成する方法である。サンドブラスト形成法とは、例えば、スクリーン印刷やメタルマスク印刷法、ロールコーター、ドクターブレード、ノズル吐出式コーター等を用いて隔壁形成用材料層を基板上に形成し、乾燥させた後、隔壁を形成すべき隔壁形成用材料層の部分をマスク層で被覆し、次いで、露出した隔壁形成用材料層の部分をサンドブラスト法によって除去する方法である。隔壁を形成した後、隔壁を研磨し、隔壁頂面の平坦化を図ってもよい。
【００４０】
隔壁における蛍光体層を取り囲む部分の平面形状（隔壁側面の射影像の内側輪郭線に相当し、一種の開口領域である）として、矩形形状、円形形状、楕円形状、長円形状、三角形形状、五角形以上の多角形形状、丸みを帯びた三角形形状、丸みを帯びた矩形形状、丸みを帯びた多角形等を例示することができるし、蛍光体層の二辺と平行に延びる直線状の形状（棒状の形状）を挙げることができる。これらの平面形状（開口領域の平面形状）が２次元マトリクス状に配列されることにより、格子状の隔壁が形成される。この２次元マトリクス状の配列は、例えば井桁様に配列されるものでもよいし、千鳥様に配列されるものでもよい。
【００４１】
隔壁形成用材料として、例えば、感光性ポリイミド樹脂や、酸化コバルト等の金属酸化物により黒色に着色した鉛ガラス、ＳｉＯ2、低融点ガラスペーストを例示することができる。隔壁の表面（頂面及び側面）には、隔壁に電子ビームが衝突して隔壁からガスが放出されることを防止するための保護層（例えば、ＳｉＯ2、ＳｉＯＮ、あるいは、ＡｌＮから成る）を形成してもよい。
【００４２】
カソードパネルとアノードパネルとによって挟まれた空間が真空状態に保持されているので、大気圧によって冷陰極電界電子放出表示装置に破損が生じないように、カソードパネルとアノードパネルとの間に、局所的に、スペーサを配することが好ましい。スペーサは、例えばセラミックスやガラス材料から構成することができる。スペーサをセラミックスから構成する場合、セラミックスとして、ムライト等のケイ酸アルミニウム化合物やアルミナ等の酸化アルミニウム、チタン酸バリウム、チタン酸ジルコン酸鉛、ジルコニア（酸化ジルコニウム）、コーディオライト、硼珪酸塩バリウム、珪酸鉄、ガラスセラミックス材料、これらに、酸化チタンや酸化クロム、酸化マグネシウム、酸化鉄、酸化バナジウム、酸化ニッケルを添加したもの等を例示することができるし、例えば、特表２００３−５２４２８０号公報等に記載されている材料を用いることもできる。この場合、所謂グリーンシートを成形して、グリーンシートを焼成し、係るグリーンシート焼成品を切断することによってスペーサを製造することができる。また、ガラス材料として、高歪点ガラス、低アルカリガラス、無アルカリガラス、ソーダガラス（Ｎａ2Ｏ・ＣａＯ・ＳｉＯ2）、硼珪酸ガラス（Ｎａ2Ｏ・Ｂ2Ｏ3・ＳｉＯ2）、フォルステライト（２ＭｇＯ・ＳｉＯ2）、鉛ガラス（Ｎａ2Ｏ・ＰｂＯ・ＳｉＯ2）、結晶性ガラスを例示することができる。尚、スペーサの端部に対して面取りを行い、突起部等を除去することが好ましい。スペーサは、例えば、アノードパネルに設けられた隔壁と隔壁との間に挟み込んで固定すればよく、あるいは又、例えば、アノードパネル及び／又はカソードパネルにスペーサ保持部を形成し、スペーサ保持部によって固定すればよい。
【００４３】
スペーサの側面には帯電防止膜や抵抗体膜等が設けられていてもよい。帯電防止膜を構成する材料は、その２次電子放出係数が１に近いことが好ましく、帯電防止膜を構成する材料として、ＳｉやＧｅ等の半導体、グラファイト等の半金属、酸化物、ホウ化物、炭化物、硫化物、及び、窒化物等を用いることができる。例えば、グラファイト等の半金属及びＭｏＳｅx等の半金属元素を含む化合物、ＣｒＯx、ＮｄＯx、ＣｒＡｌxＯy、酸化マンガン、ＬａxＢａ2-xＣｕＯ4、ＬａxＹ1-xＣｒＯ3等の酸化物、ＡｌＢx、ＴｉＢx等のホウ化物、ＳｉＣ等の炭化物、ＭｏＳx、ＷＳx等の硫化物、及び、窒化タングステンと窒化ゲルマニウムの化合物、ＢＮ、ＴｉＮ、ＡｌＮ等の窒化物等を挙げることができるし、更には、例えば、特表２００４−５００６８８号公報等に記載されている材料等を用いることもできる。また、抵抗体膜を構成する材料として、例えば、酸化ルテニウム（ＲｕＯx）やサーメットを例示することができる。帯電防止膜等のスペーサの表面に設けられる膜は、単一の種類の材料から成るものであってもよいし、複数の種類の材料から成るものであってもよい。例えば、膜は１層構造であって、複数の種類の材料からその層が構成されていてもよいし、膜は複数層が積層して成り、それぞれの層が異なる材料から成るものであってもよい。これらの膜は、スパッタリング法や真空蒸着法といった各種ＰＶＤ法、各種ＣＶＤ法、スクリーン印刷法等、周知の方法により形成することができる。また、これらの膜の膜厚は、必要に応じて任意に設定すればよい。
【００４４】
カソードパネルとアノードパネルとを周縁部において接合するが、接合は接着層を接合部材として用いて行ってもよいし、あるいは、棒状あるいはフレーム状（枠状）であってガラスやセラミックス等の絶縁剛性材料から構成された枠体と接着層とから成る接合部材を用いて行ってもよい。枠体と接着層とから成る接合部材を用いる場合には、枠体の高さを、適宜、選択することにより、接着層のみから成る接合部材を使用する場合に比べ、カソードパネルとアノードパネルとの間の対向距離をより長く設定することが可能である。尚、接着層の構成材料としては、Ｂ2Ｏ3−ＰｂＯ系フリットガラスやＳｉＯ2−Ｂ2Ｏ3−ＰｂＯ系フリットガラスといったフリットガラスが一般的であるが、融点が１２０〜４００゜Ｃ程度の所謂低融点金属材料を用いてもよい。係る低融点金属材料としては、Ｉｎ（インジウム：融点１５７゜Ｃ）；インジウム−金系の低融点合金；Ｓｎ80Ａｇ20（融点２２０〜３７０゜Ｃ）、Ｓｎ95Ｃｕ5（融点２２７〜３７０゜Ｃ）等の錫（Ｓｎ）系高温はんだ；Ｐｂ97.5Ａｇ2.5（融点３０４゜Ｃ）、Ｐｂ94.5Ａｇ5.5（融点３０４〜３６５゜Ｃ）、Ｐｂ97.5Ａｇ1.5Ｓｎ1.0（融点３０９゜Ｃ）等の鉛（Ｐｂ）系高温はんだ；Ｚｎ95Ａｌ5（融点３８０゜Ｃ）等の亜鉛（Ｚｎ）系高温はんだ；Ｓｎ5Ｐｂ95（融点３００〜３１４゜Ｃ）、Ｓｎ2Ｐｂ98（融点３１６〜３２２゜Ｃ）等の錫−鉛系標準はんだ；Ａｕ88Ｇａ12（融点３８１゜Ｃ）等のろう材（以上の添字は全て原子％を表す）を例示することができる。
【００４５】
カソードパネルとアノードパネルと接合部材の三者を接合する場合、三者を同時に接合してもよいし、あるいは、第１段階でカソードパネル又はアノードパネルのいずれか一方と接合部材とを接合し、第２段階でカソードパネル又はアノードパネルの他方と接合部材とを接合してもよい。三者同時接合や第２段階における接合を高真空雰囲気中で行えば、カソードパネルとアノードパネルと接合部材とにより囲まれた空間は、接合と同時に真空となる。あるいは、三者の接合終了後、カソードパネルとアノードパネルと接合部材とによって囲まれた空間を排気し、真空とすることもできる。接合後に排気を行う場合、接合時の雰囲気の圧力は常圧／減圧のいずれであってもよく、また、雰囲気を構成する気体は、大気であっても、あるいは窒素ガスや周期律表０族に属するガス（例えばＡｒガス）を含む不活性ガスであってもよい。
【００４６】
排気を行う場合、排気は、カソードパネル及び／又はアノードパネルに予め接続された排気管（チップ管）を通じて行うことができる。排気管は、典型的にはガラス管、あるいは、低熱膨張率を有する金属や合金［例えば、ニッケル（Ｎｉ）を４２重量％含有した鉄（Ｆｅ）合金や、ニッケル（Ｎｉ）を４２重量％、クロム（Ｃｒ）を６重量％含有した鉄（Ｆｅ）合金］から成る中空管から構成され、カソードパネル及び／又はアノードパネルの無効領域（冷陰極電界電子放出表示装置としての実用上の機能を果たす中央部の表示領域である有効領域を額縁状に包囲する領域）に設けられた貫通部の周囲に、上述のフリットガラス又は低融点金属材料を用いて接合され、空間が所定の真空度に達した後、熱融着によって封じ切られ、あるいは又、圧着することにより封じられる。尚、封じる前に、冷陰極電界電子放出表示装置全体を一旦加熱してから降温させると、空間に残留ガスを放出させることができ、この残留ガスを排気により空間外へ除去することができるので好適である。
【発明の効果】
【００４７】
本発明の冷陰極電界電子放出表示装置は、第１の方向に延び、支持体上に形成された第１フォーカス電極、及び、第２の方向に延び、絶縁層上に形成された第２フォーカス電極を備えている。このように、カソード電極とカソード電極の間の支持体上に第１フォーカス電極が形成されており、ゲート電極とゲート電極の間の絶縁層上に第２フォーカス電極が形成されている構造、構成を有しているので、冷陰極電界電子放出表示装置の構成、構造は、従来のフォーカス電極を有していない冷陰極電界電子放出表示装置の構成、構造から見て、複雑になってはいない。そして、それにも拘わらず、フォーカス電極は、全体として、カソード電極の延びる方向と平行な方向及びゲート電極の延びる方向と平行な方向の両方向に、互いに独立して、フォーカス作用を及ぼすことができる。従って、冷陰極電界電子放出表示装置の仕様に応じて、フォーカス特性の最適化を図ることができる。また、冷陰極電界電子放出表示装置の製造工程も、従来の冷陰極電界電子放出表示装置の製造工程と大きな相違が無く、製造コストの増加を招くことが無い。
【発明を実施するための最良の形態】
【００４８】
以下、図面を参照して、実施例に基づき本発明を説明する。
【実施例１】
【００４９】
実施例１は、本発明の冷陰極電界電子放出表示装置（以下、表示装置と略称する）に関し、より具体的には、第１の構成の表示装置に関する。実施例１の表示装置におけるカソードパネルＣＰとアノードパネルＡＰの模式的な一部端面図を図１〜図４に示し、また、カソードパネルＣＰ及びアノードパネルＡＰを分解したときの一部分の模式的な分解斜視図を図５に示す。更には、ゲート電極と第２フォーカス電極の配置状態を模式的に図６に示し、カソード電極と第１フォーカス電極の配置状態を模式的に図７に示す。また、カソード電極、ゲート電極、第１フォーカス電極及び第２フォーカス電極の電気的接続状態の概念図を図８の（Ａ）及び（Ｂ）に示す。尚、図１は、実施例１の表示装置において、ゲート電極が延びる方向と平行な仮想平面でゲート電極を含む領域を切断したと想定したときの模式的な一部端面図（図６及び図７の矢印Ａ−Ａに沿った模式的な一部端面図）であり、図２は、ゲート電極が延びる方向と平行な仮想平面で第２フォーカス電極を含む領域を切断したと想定したときの模式的な一部端面図（図６及び図７の矢印Ｂ−Ｂに沿った模式的な一部端面図）であり、図３は、カソード電極が延びる方向と平行な仮想平面でカソード電極を含む領域を切断したと想定したときの模式的な一部端面図（図６及び図７の矢印Ｃ−Ｃに沿った模式的な一部端面図）であり、図４は、カソード電極が延びる方向と平行な仮想平面で第１フォーカス電極を含む領域を切断したと想定したときの模式的な一部端面図（図６及び図７の矢印Ｄ−Ｄに沿った模式的な一部端面図）である。尚、図５においては、第１フォーカス電極及び第２フォーカス電極の図示を省略している。
【００５０】
実施例１の表示装置は、支持体１０上に２次元マトリクス状に配列された電子放出領域ＥＡを備えたカソードパネルＣＰと、蛍光体層２２及びアノード電極２３が設けられたアノードパネルＡＰとが外周部で接合されており、カソードパネルＣＰとアノードパネルＡＰとによって挟まれた空間が真空に保持されている。そして、各電子放出領域ＥＡは、
（Ａ）支持体１０上に形成され、第１の方向に延びるカソード電極１１、
（Ｂ）支持体１０及びカソード電極１１上に設けられた絶縁層１２、
（Ｃ）絶縁層１２上に形成され、第１の方向とは異なる第２の方向に延びるゲート電極１３、
（Ｄ）ゲート電極１３及び絶縁層１２の部分に設けられた開口部１４、並びに、
（Ｅ）開口部１４の底部に露出したカソード電極１１の部分の上に形成された電子放出部１５、
から構成されている。
【００５１】
実施例１の表示装置において、電界放出素子は、円錐形の電子放出部１５を有するスピント型電界放出素子から構成されている。また、カソード電極１１とゲート電極１３とは、これらの両電極１１，１３の射影像が互いに直交する方向（第１の方向及び第２の方向）に各々帯状に形成されており、これらの両電極の射影像が重複する領域（１副画素（サブピクセル）分の領域に相当し、電子放出領域ＥＡである）に、複数の電界放出素子が設けられている。尚、図面の簡素化のため、図１〜図４では、各電子放出領域ＥＡにおいて４つの電子放出部１５を図示した。そして、係る電子放出領域ＥＡが、カソードパネルＣＰの有効領域（実際の表示部分として機能する領域）内に、通常、上述したとおり、２次元マトリクス状に配列されている。
【００５２】
そして、実施例１の表示装置にあっては、電子放出領域ＥＡと電子放出領域ＥＡとの間には、第１の方向に支持体１０上に形成された第１フォーカス電極４１、及び、第２の方向に絶縁層１２上に形成された第２フォーカス電極４２が備えられている。
【００５３】
ここで、実施例１にあっては、第１フォーカス電極４１は一端で第１共通電極５１に接続されており、第２フォーカス電極４２は一端で第２共通電極５２に接続されている。第１共通電極５１及び第２共通電極５２は、支持体１０上に形成されている。また、第２共通電極５２と各第２フォーカス電極４２とは、絶縁層１２に設けられたコンタクトホール５３を介して接続されている。
【００５４】
尚、図８の（Ａ）において、ゲート電極１３を太い実線で示し、ゲート電極１３とゲート電極制御回路３２とを結ぶ配線を細い実線で示した。また、第２フォーカス電極４２及び第２共通電極５２を太い点線で示した。更には、図８の（Ｂ）において、カソード電極１１を太い実線で示し、カソード電極１１とカソード電極制御回路３１とを結ぶ配線を細い実線で示した。また、第１フォーカス電極４１及び第１共通電極５１を太い点線で示した。
【００５５】
アノードパネルＡＰは、基板２０と、基板２０上に形成され、所定のパターンを有する蛍光体層２２と、その上に形成されたアノード電極２３から構成されている。１副画素（１サブピクセル）は、電子放出領域ＥＡと、電子放出領域ＥＡに対面したアノードパネル側の蛍光体層２２とによって構成されている。有効領域には、かかる副画素が、例えば数十万〜数百万個ものオーダーにて配列されている。尚、蛍光体層２２と蛍光体層２２との間の基板２０上には、ブラックマトリックス２１が形成されている。図１等においては、隔壁やスペーサ、スペーサ保持部の図示を省略した。カラー表示の表示装置の場合には、１画素（１ピクセル）は、１つの赤色発光蛍光体層２２Ｒ、１つの緑色発光蛍光体層２２Ｇ、及び、１つの青色発光蛍光体層２２Ｂの集合から構成されている。
【００５６】
アノードパネルＡＰとカソードパネルＣＰとを、電子放出領域ＥＡ（電界放出素子）と蛍光体層２２とが対向するように配置し、周縁部において接合部材２４を介して接合した後、排気し、封止することによって、表示装置を作製することができる。有効領域を包囲し、画素を選択するための周辺回路が形成された無効領域（図示した例では、カソードパネルＣＰの無効領域）には、真空排気用の貫通孔（図示せず）が設けられており、この貫通孔には真空排気後に封じ切られた排気管（図示せず）が接続されている。即ち、アノードパネルＡＰとカソードパネルＣＰと接合部材２４とによって囲まれた空間は高真空（例えば、１×１０-3Ｐａ以下）となっている。
【００５７】
カソード電極１１には相対的に負電圧がカソード電極制御回路３１から印加され、ゲート電極１３には相対的に正電圧がゲート電極制御回路３２から印加され、アノード電極２３にはゲート電極１３よりも更に高い正電圧がアノード電極制御回路３３から印加される。尚、図６において、ゲート電極１３は、図面の右手の遠方において、接続部を介してゲート電極制御回路３２に接続されている。また、図７において、カソード電極１１は、図面の上側の遠方において、接続部を介してカソード電極制御回路３１に接続されている。更には、図７において、第１共通電極５１は、図面の右手の遠方において、接続部を介してフォーカス電極制御回路３４に接続されており、第２共通電極５２は、図面の上側の遠方において、接続部を介してフォーカス電極制御回路３４に接続されている。
【００５８】
そして、係る表示装置において線順次駆動方式により画像の表示を行う場合、カソード電極１１にカソード電極制御回路３１からビデオ信号を入力し、ゲート電極１３にゲート電極制御回路３２から走査信号を入力する。これとは逆に、カソード電極１１にカソード電極制御回路３１から走査信号を入力し、ゲート電極１３にゲート電極制御回路３２からビデオ信号を入力してもよい。カソード電極１１とゲート電極１３との間に電圧を印加した際に生ずる電界により、量子トンネル効果に基づき電子放出部１５から電子が放出され、この電子がアノード電極２３に引き付けられ、アノード電極２３を通過して蛍光体層２２に衝突する。その結果、蛍光体層２２が励起されて発光し、所望の画像を得ることができる。つまり、この表示装置の動作は、基本的に、ゲート電極１３に印加される電圧、及び、カソード電極１１に印加される電圧によって制御される。カソード電極１１はカソード電極駆動ドライバによって駆動され、ゲート電極１３はゲート電極駆動ドライバによって駆動される。カソード電極制御回路３１、ゲート電極制御回路３２、アノード電極制御回路３３や駆動ドライバは周知の回路から構成することができる。
【００５９】
表示装置の実動作時、アノード電極制御回路３３からアノード電極２３に印加されるアノード電圧ＶAは、通常、一定であり、例えば、５キロボルト〜１５キロボルト、具体的には、例えば、９キロボルト（例えば、ｄ0＝２．０ｍｍ）とすることができる。一方、表示装置の実動作時、カソード電極１１に印加する電圧ＶC及びゲート電極１３に印加する電圧ＶGに関しては、
（１）カソード電極１１に印加する電圧ＶCを一定とし、ゲート電極１３に印加する電圧ＶGを変化させる方式
（２）カソード電極１１に印加する電圧ＶCを変化させ、ゲート電極１３に印加する電圧ＶGを一定とする方式
（３）カソード電極１１に印加する電圧ＶCを変化させ、且つ、ゲート電極１３に印加する電圧ＶGも変化させる方式
のいずれを採用してもよい。
【００６０】
更には、第１フォーカス電極４１及び第２フォーカス電極４２には、フォーカス電極制御回路３４から、所定の電位が与えられる。尚、実施例１にあっては、第１フォーカス電極４１は第１共通電極５１に接続されており、第２フォーカス電極４２は第２共通電極５２に接続されているので、各第１フォーカス電極４１には同じ電位が与えられ、各第２フォーカス電極４２には同じ電位が与えられる。従って、各電子放出領域ＥＡに対しては、基本的には、第１フォーカス電極４１及び第２フォーカス電極４２によって、同じ、あるいは同程度のフォーカス作用が第１フォーカス電極４１と平行な方向及び第２フォーカス電極４２と平行な方向の２方向から及ぼされる。
【００６１】
実施例１、あるいは、後述する実施例２〜実施例５における電界放出素子は、例えば、図１７及び図１８を参照して説明する以下の方法で製造することができる。但し、図１７及び図１８にあっては、第１フォーカス電極４１及び第２フォーカス電極４２の図示を省略している。また、１つの電界放出素子のみを図示している。
【００６２】
［工程−１００］
先ず、例えばガラスから成る支持体１０上に、クロム（Ｃｒ）から成る帯状のカソード電極１１及び第１フォーカス電極４１、並びに、第１共通電極５１、第２共通電極５２を形成した後、全面にＳｉＯ2から成る絶縁層１２を形成し、更に、クロム（Ｃｒ）から成る帯状のゲート電極１３及び第２フォーカス電極４２を絶縁層１２上に形成する。これらの各種電極の形成は、例えば、スパッタリング法、リソグラフィ技術及びドライエッチング技術に基づき行うことができる。尚、第２共通電極５２の上方の絶縁層１２の部分に開口を設けておき、第２フォーカス電極４２を形成するとき、係る開口を第２フォーカス電極４２を構成する導電材料（クロム）で埋め込むことで、第２フォーカス電極４２と第２共通電極５２を接続するコンタクトホール５３を得ることができる。また、カソード電極１１の上に抵抗体膜を形成し、電界放出素子の動作安定化、電子放出特性の均一化、カソード電極とゲート電極との間のリーク電流の抑制を図ってもよい。
【００６３】
［工程−１１０］
次に、ゲート電極１３、第２フォーカス電極４２及び絶縁層１２に、エッチング用マスクとして機能するレジスト層をリソグラフィ技術によって形成する。その後、ＲＩＥ（反応性イオン・エッチング）法にてゲート電極１３に第１開口部１４Ａを形成し、更に、絶縁層１２に第２開口部１４Ｂを形成する。こうして得られた開口部１４の底部にはカソード電極１１の一部が露出している。その後、レジスト層をアッシング技術によって除去する。こうして、図１７の（Ａ）に示す構造を得ることができる。
【００６４】
［工程−１２０］
次に、開口部１４の底部に露出したカソード電極１１上に、電子放出部１５を形成する。具体的には、先ず、アルミニウムを斜め蒸着することにより、剥離層１６を形成する。このとき、支持体１０の法線に対する蒸着粒子の入射角を十分に大きく選択することにより、開口部１４の底部にアルミニウムを殆ど堆積させることなく、ゲート電極１３、第２フォーカス電極４２及び絶縁層１２上に剥離層１６を形成することができる。この剥離層１６は、開口部１４の開口端部から庇状に張り出しており、これにより開口部１４が実質的に縮径される（図１７の（Ｂ）参照）。
【００６５】
［工程−１３０］
次に、全面に例えばモリブデン（Ｍｏ）を垂直蒸着する。このとき、図１７の（Ｃ）に示すように、剥離層１６上でオーバーハング形状を有するモリブデンから成る導電材料層１７が成長するに伴い、開口部１４の実質的な直径が次第に縮小されるので、開口部１４の底部において堆積に寄与する蒸着粒子は、次第に開口部１４の中央付近を通過するものに限られるようになる。その結果、開口部１４の底部には円錐形の堆積物が形成され、この円錐形のモリブデンから成る堆積物が電子放出部１５となる。
【００６６】
［工程−１４０］
その後、電気化学的プロセス及び湿式プロセスによって剥離層１６を絶縁層１２、第２フォーカス電極４２及びゲート電極１３の表面から剥離し、絶縁層１２、第２フォーカス電極４２及びゲート電極１３の上方の導電材料層１７を選択的に除去する。その結果、図１８の（Ａ）に示すように、開口部１４の底部に位置するカソード電極１１上に円錐形の電子放出部１５を残すことができる。その後、絶縁層１２を等方的にエッチングして開口部１４の側面を後退させ、ゲート電極１３に設けられた第１開口部１４Ａの端部を露出させることが好ましい（図１８の（Ｂ）参照）。等方的なエッチングは、ケミカルドライエッチングのようにラジカルを主エッチング種として利用するドライエッチング、あるいは、エッチング液を利用するウェットエッチングにより行うことができる。エッチング液として、例えば４９％フッ酸水溶液と純水の１：１００（容積比）混合液を用いることができる。
【００６７】
［工程−１５０］
次いで、図１等に示す表示装置の組立を行う。具体的には、図示しない局所的に配置されたスペーサを介して、蛍光体層２２と電子放出領域ＥＡとが対向するようにアノードパネルＡＰとカソードパネルＣＰとを配置する。アノードパネルＡＰとカソードパネルＣＰ（より具体的には、支持体１０と基板２０）とを、例えば接合部材２４を介して、周縁部において接合する。接合に際しては、接合部材２４とアノードパネルＡＰとの接合部位、及び、接合部材２４とカソードパネルＣＰとの接合部位に接着層としてのフリットガラスを塗布し、予備焼成にてフリットガラスを乾燥した後、アノードパネルＡＰとカソードパネルＣＰと接合部材２４とを貼り合わせ、約４５０゜Ｃで１０〜３０分の本焼成を行う。その後、アノードパネルＡＰとカソードパネルＣＰと接合部材２４とによって囲まれた空間を、貫通孔及び排気管を通じて排気し、空間の圧力が１０-4Ｐａ程度に達した時点で排気管を加熱溶融や圧接により封じ切る。このようにして、アノードパネルＡＰとカソードパネルＣＰと接合部材２４とに囲まれた空間を真空にすることができる。その後、必要な外部回路との配線を行い、実施例１の表示装置を完成させることができる。
【００６８】
実施例１の表示装置にあっては、第１フォーカス電極４１は、カソード電極１１と同様にして支持体１０上に形成され、第２フォーカス電極４２は、ゲート電極１３と同様にして絶縁層１２上に形成され、しかも、電子放出領域ＥＡのそれぞれの第１フォーカス電極４１は、一端で第１共通電極５１に接続され、電子放出領域ＥＡのそれぞれの第２フォーカス電極４２は、一端で第２共通電極５２に接続されている。更には、第１共通電極５１及び第２共通電極５２は、支持体１０上に形成されている。従って、簡素な構造にも拘わらず、電子放出領域ＥＡから放出される電子ビームに対して、カソード電極１１の延びる方向と平行な方向、及び、ゲート電極１３の延びる方向と平行な方向の２方向から、独立してフォーカス作用を及ぼすことが可能となる。
【００６９】
尚、第１フォーカス電極４１を一端で第１共通電極５１に接続し、第２フォーカス電極４２を一端で第２共通電極５２に接続する代わりに、各第１フォーカス電極４１及び各第２フォーカス電極４２を、個別に、フォーカス電極制御回路３４に接続し、与えるべき電位を個別に制御してもよく、これによって、電子放出領域ＥＡのそれぞれから放出される電子ビームに対して、カソード電極１１の延びる方向と平行な方向、及び、ゲート電極１３の延びる方向と平行な方向の２方向から、独立してフォーカス作用を及ぼすことが可能となる。
【００７０】
実施例１における第１フォーカス電極４１及び第２フォーカス電極４２に基づき、電子ビームが蛍光体層２２に衝突するとき、どの程度の大きさをもって衝突するかをシミュレーションした。具体的には、第１の方向に沿った長さ（カソード電極の延びる方向に沿った長さ）を５０μｍ、第２の方向に沿った長さ（ゲート電極の延びる方向に沿った長さ）を５．５μｍとした電子放出領域ＥＡから電子ビームが放出され、第１フォーカス電極４１に０ボルトを印加し、第２フォーカス電極４２に０ボルトを印加したときに、蛍光体層２２に衝突したときの電子ビームの大きさを第１の方向におけるスポットサイズ１．０（シミュレーション結果の値：１７９μｍ）、第２の方向におけるスポットサイズ１．０（シミュレーション結果の値：２１３μｍ）として規格化する。ここで、第１フォーカス電極４１に印加する電圧をＶ1ボルト、第２フォーカス電極４２に印加する電圧をＶ2ボルトとするとき、Ｖ（Ｖ1，Ｖ2）と表記する。
【００７１】
そして、Ｖ2＝１００ボルト一定とした状態で、Ｖ（−１００，１００）からＶ1を２０ボルト刻みで１００ボルトまで増加させたときの蛍光体層２２に衝突する電子ビームの大きさを規格化したグラフを、図１４に「Ａ」シリーズ（黒丸印で図示する）で示す。ここで、Ａ0はＶ（−１００，１００）のときの規格化された電子ビームの大きさであり、Ａ5はＶ（０，１００）のときの規格化された電子ビームの大きさであり、Ａ10はＶ（１００，１００）のときの規格化された電子ビームの大きさである。また、Ｖ2＝５０ボルト一定とした状態で、Ｖ（−１００，５０）からＶ1を２０ボルト刻みで１００ボルトまで増加させたときの蛍光体層２２に衝突する電子ビームの大きさを規格化したグラフを、図１４に「Ｂ」シリーズ（白丸印で図示する）で示す。ここで、Ｂ0はＶ（−１００，５０）のときの規格化された電子ビームの大きさであり、Ｂ5はＶ（０，５０）のときの規格化された電子ビームの大きさであり、Ｂ10はＶ（１００，５０）のときの規格化された電子ビームの大きさである。更には、Ｖ2＝０ボルト一定とした状態で、Ｖ（−１００，０）からＶ1を２０ボルト刻みで１００ボルトまで増加させたときの蛍光体層２２に衝突する電子ビームの大きさを規格化したグラフを、図１４に「Ｃ」シリーズ（黒四角印で図示する）で示す。ここで、Ｃ0はＶ（−１００，０）のときの規格化された電子ビームの大きさであり、Ｃ5はＶ（０，０）のときの規格化された電子ビームの大きさであり、Ｃ10はＶ（１００，０）のときの規格化された電子ビームの大きさである。また、Ｖ2＝−５０ボルト一定とした状態で、Ｖ（−１００，−５０）からＶ1を２０ボルト刻みで１００ボルトまで増加させたときの蛍光体層２２に衝突する電子ビームの大きさを規格化したグラフを、図１４に「Ｄ」シリーズ（白四角印で図示する）で示す。ここで、Ｄ0はＶ（−１００，−５０）のときの規格化された電子ビームの大きさであり、Ｄ5はＶ（０，−５０）のときの規格化された電子ビームの大きさであり、Ｄ10はＶ（１００，−５０）のときの規格化された電子ビームの大きさである。更には、Ｖ2＝−１００ボルト一定とした状態で、Ｖ（−１００，−１００）からＶ1を２０ボルト刻みで１００ボルトまで増加させたときの蛍光体層２２に衝突する電子ビームの大きさを規格化したグラフを、図１４に「Ｅ」シリーズ（白三角印で図示する）で示す。ここで、Ｅ0はＶ（−１００，−１００）のときの規格化された電子ビームの大きさであり、Ｅ5はＶ（０，−１００）のときの規格化された電子ビームの大きさであり、Ｅ10はＶ（１００，−１００）のときの規格化された電子ビームの大きさである。
【００７２】
図１４から、Ｖ（Ｖ1，Ｖ2）の値を変化させることで、蛍光体層２２に衝突する電子ビームの大きさが変化することが判る。従って、Ｖ（Ｖ1，Ｖ2）の値を適切に選択することで、蛍光体層２２に衝突する電子ビームの大きさや、蛍光体層２２に衝突する電子ビームの重心の位置の制御を行うことができる。
【実施例２】
【００７３】
実施例２は、実施例１の変形である。実施例１においては、第１フォーカス電極４１は一端で第１共通電極５１に接続されており、第２フォーカス電極４２は一端で第２共通電極５２に接続されている構成とした。一方、実施例２にあっては、カソードパネルＣＰとアノードパネルＡＰとの間には、局所的に、第２の方向に延びるスペーサが配置されており、スペーサの下方に位置する第２フォーカス電極１４２Ａは一端で第１の第２共通電極１５２Ａに接続され、それ以外の第２フォーカス電極１４２Ｂは一端で第２の第２共通電極１５２Ｂに接続されている。あるいは又、スペーサに隣接した第２フォーカス電極１４２Ａに印加される電位と、スペーサに隣接していない第２フォーカス電極１４２Ｂに印加される電位とは異なる。
【００７４】
実施例２の表示装置におけるゲート電極１３及び第２フォーカス電極１４２Ａ，１４２Ｂ、第１の第２共通電極１５２Ａ、第２の第２共通電極１５２Ｂの電気的接続状態を模式的に図９に示す。図９においては、スペーサを矩形の図形で示し、４本のスペーサを図示した。また、図９において、ゲート電極１３を太い実線で示し、ゲート電極１３とゲート電極制御回路３２とを結ぶ配線を細い実線で示した。更には、第２フォーカス電極１４２Ａ，１４２Ｂ及び第２共通電極１５２Ａ，１５２Ｂを太い点線で示した。
【００７５】
以上の点を除き、実施例２の表示装置の構成、構造は、実施例１の表示装置の構成、構造と同じとすることができるので、詳細な説明は省略する。
【００７６】
スペーサに隣接した電子放出領域ＥＡから放出される電子ビームの軌道と、スペーサに隣接していない電子放出領域ＥＡから放出される電子ビームの軌道とは、スペーサの存在に起因して、屡々、異なる。実施例２においては、スペーサの下方に位置する第２フォーカス電極１４２Ａは一端で第１の第２共通電極１５２Ａに接続され、それ以外の第２フォーカス電極１４２Ｂは一端で第２の第２共通電極１５２Ｂに接続されている。あるいは又、スペーサに隣接した第２フォーカス電極１４２Ａに印加される電位と、スペーサに隣接していない第２フォーカス電極１４２Ｂに印加される電位とは異なる。従って、第１の第２共通電極１５２Ａに与える電位と、第２の第２共通電極１５２Ｂに与える電位との最適化を図ることで、スペーサの存在に起因した電子ビームの軌道の差異を出来る限り少なくすることができる。
【００７７】
尚、スペーサの下方に位置する第２フォーカス電極１４２Ａを一端で第１の第２共通電極１５２Ａに接続し、それ以外の第２フォーカス電極１４２Ｂを一端で第２の第２共通電極１５２Ｂに接続する代わりに、スペーサの下方に位置する各第２フォーカス電極１４２Ａ及びそれ以外の各第２フォーカス電極１４２Ｂを、個別に、フォーカス電極制御回路３４に接続し、スペーサに隣接した第２フォーカス電極１４２Ａに印加される電位と、スペーサに隣接していない第２フォーカス電極１４２Ｂに印加される電位とは異ならせ、且つ、与えるべき電位を個別に制御してもよく、これによって、電子放出領域ＥＡのそれぞれから放出される電子ビームに対して、カソード電極１１の延びる方向と平行な方向、及び、ゲート電極１３の延びる方向と平行な方向の２方向から、独立してフォーカス作用を及ぼすことが可能となるし、スペーサに隣接した電子放出領域ＥＡとスペーサに隣接していない電子放出領域ＥＡとの間における電子ビームの軌道の変化を、より緻密に、且つ、正確に制御することができる。
【実施例３】
【００７８】
実施例３も実施例１の変形であるが、実施例３は、第２の構成の表示装置に関する。実施例３の表示装置におけるゲート電極及び第２フォーカス電極の電気的接続状態を模式的に図１０に示す。図１０において、ゲート電極１３を太い実線で示し、ゲート電極１３とゲート電極制御回路３２とを結ぶ配線を細い実線で示した。更には、第２フォーカス電極２４２Ａ，２４２Ｂ及び第２共通電極２５２Ａ，２５２Ｂを太い点線で示した。
【００７９】
実施例３の表示装置において、第２フォーカス電極は、互いに平行に延びる第１番目の第２フォーカス電極２４２Ａ及び第２番目の第２フォーカス電極２４２Ｂから構成されている。即ち、１つの電子放出領域ＥＡから見た場合、ゲート電極１３の一方の側には、ゲート電極１３と平行に第１番目の第２フォーカス電極２４２Ａが延びており、ゲート電極１３の他方の側には、ゲート電極１３と平行に第２番目の第２フォーカス電極２４２Ｂが延びている。そして、第１番目の第２フォーカス電極２４２Ａに印加される電位は、第２番目の第２フォーカス電極２４２Ｂに印加される電位と異なる。ここで、第１番目の第２フォーカス電極２４２Ａは一端で第１の第２共通電極２５２Ａに接続されており、第２番目の第２フォーカス電極２４２Ｂは一端で第２の第２共通電極２５２Ｂに接続されている。尚、第１フォーカス電極の構成は、実施例１と同様である。
【００８０】
以上の点を除き、実施例３の表示装置の構成、構造は、実施例１の表示装置の構成、構造と同じとすることができるので、詳細な説明は省略する。
【００８１】
フォーカス電極としてこのような構成を採用することでも、簡素な構造にも拘わらず、電子放出領域ＥＡから放出される電子ビームに対して、カソード電極１１の延びる方向と平行な方向、及び、ゲート電極１３の延びる方向と平行な方向の２方向から、独立してフォーカス作用を及ぼすことが可能となる。しかも、表示装置毎に、カソード電極１１の延びる方向と平行な方向におけるフォーカス作用の大小の調節（電子ビームの軌道に対する一種のバイアス電界の調節、あるいは、電子ビーム全体の偏向の調節）を行うことができる。
【００８２】
また、第１番目の第２フォーカス電極２４２Ａを一端で第１の第２共通電極２５２Ａに接続し、第２番目の第２フォーカス電極２４２Ｂを一端で第２の第２共通電極２５２Ｂに接続する代わりに、各第１番目の第２フォーカス電極２４２Ａ及び各第２番目の第２フォーカス電極２４２Ｂを、個別に、フォーカス電極制御回路３４に接続し、与えるべき電位を個別に制御してもよく、これによって、電子放出領域ＥＡのそれぞれから放出される電子ビームに対して、カソード電極１１の延びる方向と平行な方向、及び、ゲート電極１３の延びる方向と平行な方向の２方向から、独立してフォーカス作用を及ぼすことが可能となるし、カソード電極１１の延びる方向と平行な方向におけるフォーカス作用を、より緻密に、且つ、正確に制御することができる。以下の実施例４においても同様とすることができる。尚、ゲート電極１３とゲート電極１３との間に２本の第２フォーカス電極２４２Ａ，２４２Ｂを配置したが、代替的に、ゲート電極１３とゲート電極１３との間に１本の第２フォーカス電極を配置し、例えば、奇数番目の第２フォーカス電極を一端で第１の第２共通電極２５２Ａに接続し、偶数番目の第２フォーカス電極を一端で第２の第２共通電極２５２Ｂに接続してもよく、この場合には、第２フォーカス電極と第２フォーカス電極との間に位置するゲート電極１３の作動に応じて、係るゲート電極１３の両側に配置された各第２フォーカス電極に印加する電圧を制御すればよい。
【実施例４】
【００８３】
実施例４は実施例３の変形である。実施例４の表示装置におけるカソード電極及び第１フォーカス電極の電気的接続状態を模式的に図１１に示す。図１１において、カソード電極１１を太い実線で示し、カソード電極１１とカソード電極制御回路３１とを結ぶ配線を細い実線で示した。更には、第１フォーカス電極３４１Ａ，３４１Ｂ及び第１共通電極３５１Ａ，３５１Ｂを太い点線で示した。
【００８４】
実施例４の表示装置にあっては、第１フォーカス電極は、互いに平行に延びる第１番目の第１フォーカス電極３４１Ａ及び第２番目の第１フォーカス電極３４２Ｂから構成されている。そして、第１番目の第１フォーカス電極３４１Ａに印加される電位は、第２番目の第１フォーカス電極３４１Ｂに印加される電位と異なる。ここで、第１番目の第１フォーカス電極３４１Ａは一端で第１の第１共通電極３５１Ａに接続されており、第２番目の第１フォーカス電極３４１Ｂは一端で第２の第１共通電極３５１Ｂに接続されている。尚、第２フォーカス電極の構成は、実施例３と同様である。
【００８５】
以上の点を除き、実施例４の表示装置の構成、構造は、実施例３の表示装置の構成、構造と同じとすることができるので、詳細な説明は省略する。
【００８６】
フォーカス電極としてこのような構成を採用することでも、簡素な構造にも拘わらず、電子放出領域ＥＡから放出される電子ビームに対して、カソード電極１１の延びる方向と平行な方向、及び、ゲート電極１３の延びる方向と平行な方向の２方向から、独立してフォーカス作用を及ぼすことが可能となる。しかも、表示装置毎に、カソード電極１１の延びる方向と平行な方向、及び、ゲート電極１３の延びる方向と平行な方向におけるフォーカス作用の大小の調節（電子ビームの軌道に対する一種のバイアス電界の調節、あるいは、電子ビーム全体の偏向の調節）を行うことができる。
【００８７】
また、第１番目の第１フォーカス電極３４１Ａを一端で第１の第１共通電極３５１Ａに接続し、第２番目の第１フォーカス電極３４１Ｂを一端で第２の第１共通電極３５１Ｂに接続する代わりに、各第１番目の第１フォーカス電極３４１Ａ及び各第２番目の第１フォーカス電極３４１Ｂを、個別に、フォーカス電極制御回路３４に接続し、与えるべき電位を個別に制御してもよく、これによって、電子放出領域ＥＡのそれぞれから放出される電子ビームに対して、カソード電極１１の延びる方向と平行な方向、及び、ゲート電極１３の延びる方向と平行な方向の２方向から、独立してフォーカス作用を及ぼすことが可能となるし、ゲート電極１３の延びる方向と平行な方向におけるフォーカス作用を、より緻密に、且つ、正確に制御することができる。尚、カソード電極１１とカソード電極１１との間に２本の第１フォーカス電極３４１Ａ，３４１Ｂを配置したが、代替的に、カソード電極１１とカソード電極１１との間に１本の第１フォーカス電極を配置し、例えば、奇数番目の第１フォーカス電極を一端で第１の第１共通電極３５１Ａに接続し、偶数番目の第１フォーカス電極を一端で第２の第１共通電極３５１Ｂに接続してもよく、この場合には、第１フォーカス電極と第１フォーカス電極との間に位置するカソード電極１１の作動に応じて、係るカソード電極１１の両側に配置された各第１フォーカス電極に印加する電圧を制御すればよい。
【００８８】
また、実施例４における第１フォーカス電極の構成と、実施例１における第２フォーカス電極４２の構成を組み合わせてもよい。
【実施例５】
【００８９】
実施例５も実施例３の変形である。実施例５の表示装置におけるゲート電極１３及び第２フォーカス電極４４２Ａ，４４２Ｂ、第１の第２共通電極４５２Ａ、第２の第２共通電極４５２Ｂの電気的接続状態を模式的に図１２に示す。図１２においても、スペーサを矩形の図形で示し、４本のスペーサを図示した。また、図１２において、ゲート電極１３を太い実線で示し、ゲート電極１３とゲート電極制御回路３２とを結ぶ配線を細い実線で示した。更には、第２フォーカス電極４４２Ａ，４４２Ｂ及び第２共通電極４５２Ａ，４５２Ｂを太い点線で示した。
【００９０】
実施例５にあっては、実施例２と同様に、カソードパネルＣＰとアノードパネルＡＰとの間には、局所的に、第２の方向に延びるスペーサが配置されており、スペーサの下方に位置する第１番目の第２フォーカス電極４４２Ａは一端で第１の第２共通電極４５２Ａに接続され、それ以外の第２番目の第２フォーカス電極４４２Ｂは一端で第２の第２共通電極４５２Ｂに接続されている。あるいは又、スペーサに隣接した第１番目の第２フォーカス電極４４２Ａに印加される電位と、スペーサに隣接していない第２番目の第２フォーカス電極４４２Ｂに印加される電位とは異なる。
【００９１】
以上の点を除き、実施例５の表示装置の構成、構造は、実施例３の表示装置の構成、構造と同じとすることができるので、詳細な説明は省略する。
【００９２】
実施例５においては、スペーサの下方に位置する第１番目の第２フォーカス電極４４２Ａは一端で第１の第２共通電極４５２Ａに接続され、それ以外の第２番目の第２フォーカス電極４４２Ｂは一端で第２の第２共通電極４５２Ｂに接続されている。あるいは又、スペーサに隣接した第１番目の第２フォーカス電極４４２Ａに印加される電位と、スペーサに隣接していない第２番目の第２フォーカス電極４４２Ｂに印加される電位とは異なる。従って、第１の第２共通電極４５２Ａに与える電位と、第２の第２共通電極４５２Ｂに与える電位との最適化を図ることで、スペーサの存在に起因した電子ビームの軌道の差異を出来る限り少なくすることができる。
【００９３】
尚、スペーサの下方に位置する第１番目の第２フォーカス電極４４２Ａを一端で第１の第２共通電極４５２Ａに接続し、それ以外の第２番目の第２フォーカス電極４４２Ｂを一端で第２の第２共通電極４５２Ｂに接続する代わりに、スペーサの下方に位置する各第１番目の第２フォーカス電極４４２Ａ及びそれ以外の各第２番目の第２フォーカス電極４４２Ｂを、個別に、フォーカス電極制御回路３４に接続し、スペーサに隣接した第１番目の第２フォーカス電極４４２Ａに印加される電位と、スペーサに隣接していない第２番目の第２フォーカス電極４４２Ｂに印加される電位とは異ならせ、且つ、与えるべき電位を個別に制御してもよく、これによって、電子放出領域ＥＡのそれぞれから放出される電子ビームに対して、カソード電極１１の延びる方向と平行な方向、及び、ゲート電極１３の延びる方向と平行な方向の２方向から、独立してフォーカス作用を及ぼすことが可能となるし、スペーサに隣接した電子放出領域ＥＡとスペーサに隣接していない電子放出領域ＥＡとの間における電子ビームの軌道の変化を、より緻密に、且つ、正確に制御することができる。
【００９４】
また、実施例５における第２フォーカス電極の構成と、実施例４における第１フォーカス電極の構成を組み合わせてもよい。
【００９５】
更には、ゲート電極１３及び第２フォーカス電極４４２Ａ，４４２Ｂ1，４４２Ｂ2、第１の第２共通電極４５２Ａ、第２の第２共通電極４５２Ｂ1，４５２Ｂ2の電気的接続状態を模式的に図１３に示すように、スペーサに隣接したゲート電極１３のスペーサ側に第１番目の第２フォーカス電極４４２Ａを配置し、スペーサに隣接したゲート電極１３のスペーサとは反対側に第２番目の第２フォーカス電極４４２Ｂ1を配置し、第１番目の第２フォーカス電極４４２Ａを一端で第１の第２共通電極４５２Ａに接続し、第２番目の第２フォーカス電極４４２Ｂ1を一端で第２の第２共通電極４５２Ｂ1に接続し、それ以外の第２番目の第２フォーカス電極４４２Ｂ2を一端で第２の第２共通電極４５２Ｂ2に接続する構成としてもよい。
【００９６】
このような構成にすることで、第１の第２共通電極４５２Ａに与える電位と、第２の第２共通電極４５２Ｂ1，２４２Ｂ2に与える電位との最適化を図ることで、スペーサの存在に起因した電子ビームの軌道の差異を一層少なくすることができる。
【００９７】
尚、この場合にあっても、スペーサの下方に位置する各第１番目の第２フォーカス電極４４２Ａ及びそれ以外の各第２番目の第２フォーカス電極４４２Ｂ1，４４２Ｂ2を、個別に、フォーカス電極制御回路３４に接続し、スペーサに隣接した第１番目の第２フォーカス電極４４２Ａに印加される電位と、スペーサに隣接していない第２番目の第２フォーカス電極４４２Ｂ1，４４２Ｂ2に印加される電位とは異ならせ、且つ、与えるべき電位を個別に制御してもよく、これによって、電子放出領域ＥＡのそれぞれから放出される電子ビームに対して、カソード電極１１の延びる方向と平行な方向、及び、ゲート電極１３の延びる方向と平行な方向の２方向から、独立してフォーカス作用を及ぼすことが可能となるし、スペーサに隣接した電子放出領域ＥＡとスペーサに隣接していない電子放出領域ＥＡとの間における電子ビームの軌道の変化を、より一層緻密に、且つ、正確に制御することができる。
【００９８】
また、スペーサの下方に位置する２本の第１番目の第２フォーカス電極４４２Ａを、纏めて、１本の第１番目の第２フォーカス電極４４２Ａとしてもよい。ゲート電極１３とゲート電極１３との間に２本の第２フォーカス電極を配置したが、代替的に、ゲート電極１３とゲート電極１３との間に１本の第２フォーカス電極を配置し、例えば、奇数番目の第２フォーカス電極を一端で第１の第２共通電極に接続し、偶数番目の第２フォーカス電極を一端で第２の第２共通電極に接続してもよく、この場合には、第２フォーカス電極と第２フォーカス電極との間に位置するゲート電極１３の作動に応じて、係るゲート電極１３の両側に配置された各第２フォーカス電極に印加する電圧を制御すればよい。
【００９９】
以上、本発明を好ましい実施例に基づき説明したが、本発明はこれらの実施例に限定されるものではない。実施例にて説明した平面型表示装置、カソードパネルやアノードパネル、電界放出素子の構成、構造、構成材料、加工条件、製造条件等は例示であり、適宜、変更することができる。冷陰極電界電子放出表示装置においては、専らカラー表示を例にとり説明したが、単色表示とすることもできる。
【０１００】
図１５に、実施例１の冷陰極電界電子放出表示装置の変形例において、ゲート電極が延びる方向と平行な仮想平面でゲート電極を含む領域を切断したと想定したときの模式的な一部端面図を示し、図１６に、ゲート電極と第２フォーカス電極の配置状態を模式的に示すように、第１フォーカス電極４１の上方の絶縁層１２に孔部１８を設け、孔部１８の底部に第１フォーカス電極４１の一部を露出させてもよい。このような構成、構造にすることで、第１フォーカス電極４１にて形成される電界が絶縁層１２によって受ける影響を少なくすることができる。尚、図１５は、図１６の矢印Ａ−Ａに沿った模式的な一部端面図である。
【図面の簡単な説明】
【０１０１】
【図１】図１は、実施例１の冷陰極電界電子放出表示装置において、ゲート電極が延びる方向と平行な仮想平面でゲート電極を含む領域を切断したと想定したときの模式的な一部端面図である。
【図２】図２は、実施例１の冷陰極電界電子放出表示装置において、ゲート電極が延びる方向と平行な仮想平面で第２フォーカス電極を含む領域を切断したと想定したときの模式的な一部端面図である。
【図３】図３は、実施例１の冷陰極電界電子放出表示装置において、カソード電極が延びる方向と平行な仮想平面でカソード電極を含む領域を切断したと想定したときの模式的な一部端面図である。
【図４】図４は、実施例１の冷陰極電界電子放出表示装置において、カソード電極が延びる方向と平行な仮想平面で第１フォーカス電極を含む領域を切断したと想定したときの模式的な一部端面図である。
【図５】図５は、実施例１の冷陰極電界電子放出表示装置におけるカソードパネル及びアノードパネルを分解したときの一部分の模式的な分解斜視図である。
【図６】図６は、実施例１の冷陰極電界電子放出表示装置において、ゲート電極と第２フォーカス電極の配置状態を模式的に示す図である。
【図７】図７は、実施例１の冷陰極電界電子放出表示装置において、カソード電極と第１フォーカス電極の配置状態を模式的に示す図である。
【図８】図８の（Ａ）及び（Ｂ）は、それぞれ、実施例１の冷陰極電界電子放出表示装置におけるゲート電極と第２フォーカス電極の電気的接続状態を示す概念図、及び、カソード電極と第１フォーカス電極の電気的接続状態を示す概念図である。
【図９】図９は、実施例２の冷陰極電界電子放出表示装置におけるゲート電極と第２フォーカス電極の電気的接続状態を示す概念図である。
【図１０】図１０は、実施例３の冷陰極電界電子放出表示装置におけるゲート電極と第２フォーカス電極の電気的接続状態を示す概念図である。
【図１１】図１１は、実施例４の冷陰極電界電子放出表示装置におけるカソード電極と第１フォーカス電極の電気的接続状態を示す概念図である。
【図１２】図１２は、実施例５の冷陰極電界電子放出表示装置におけるゲート電極と第２フォーカス電極の電気的接続状態を示す概念図である。
【図１３】図１３は、実施例５の冷陰極電界電子放出表示装置の変形例におけるゲート電極と第２フォーカス電極の電気的接続状態を示す概念図である。
【図１４】図１４は、実施例１における第１フォーカス電極及び第２フォーカス電極に基づき、電子ビームが蛍光体層に衝突するとき、どの程度の大きさをもって衝突するかをシミュレーションした結果を示すグラフである。
【図１５】図１５は、実施例１の冷陰極電界電子放出表示装置の変形例において、ゲート電極が延びる方向と平行な仮想平面でゲート電極を含む領域を切断したと想定したときの模式的な一部端面図である。
【図１６】図１６は、図１５に示した実施例１の冷陰極電界電子放出表示装置の変形例において、ゲート電極と第２フォーカス電極の配置状態を模式的に示す図である。
【図１７】図１７の（Ａ）〜（Ｃ）は、実施例の冷陰極電界電子放出表示装置における冷陰極電界電子放出素子の製造方法を説明するための支持体等の模式的な一部端面図である。
【図１８】図１８の（Ａ）及び（Ｂ）は、図１７の（Ｃ）に引き続き、実施例の冷陰極電界電子放出表示装置における冷陰極電界電子放出素子の製造方法を説明するための支持体等の模式的な一部端面図である。
【図１９】図１９は、ゲート電極が延びる方向と平行な仮想平面でゲート電極を含む従来の冷陰極電界電子放出表示装置の領域を切断したと想定したときの模式的な一部端面図である。
【図２０】図２０は、冷陰極電界電子放出表示装置を構成する電子放出部から電子が或る程度の発散角をもって放出される状態を模式的に示す図である。
【符号の説明】
【０１０２】
１０・・・支持体、１１・・・カソード電極、１２・・・絶縁層、１３・・・ゲート電極、１３Ａ・・・ゲート電極の開口端、１４，１４Ａ，１４Ｂ・・・開口部、１５・・・電子放出部、１６・・・剥離層、１７・・・導電材料層、１８・・・孔部、２０・・・基板、２１・・・光吸収層（ブラックマトリックス）、２２，２２Ｒ，２２Ｇ，２２Ｂ・・・蛍光体層、２３・・・アノード電極、３１・・・カソード電極制御回路、３２・・・ゲート電極制御回路、３３・・・アノード電極制御回路、３４・・・フォーカス電極制御回路、４０・・・フォーカス電極、４１・・・第１フォーカス電極、４２・・・第２フォーカス電極、５１・・・第１共通電極、５２・・・第２共通電極、５３・・・コンタクトホール、ＣＰ・・・カソードパネル、ＡＰ・・・アノードパネル、ＥＡ・・・電子放出領域
【図１】
0005345324.tif 000002
【図２】
0005345324.tif 000003
【図３】
0005345324.tif 000004
【図４】
0005345324.tif 000005
【図５】
0005345324.tif 000006
【図６】
0005345324.tif 000007
【図７】
0005345324.tif 000008
【図８】
0005345324.tif 000009
【図９】
0005345324.tif 000010
【図１０】
0005345324.tif 000011
【図１１】
0005345324.tif 000012
【図１２】
0005345324.tif 000013
【図１３】
0005345324.tif 000014
【図１４】
0005345324.tif 000015
【図１５】
0005345324.tif 000016
【図１６】
0005345324.tif 000017
【図１７】
0005345324.tif 000018
【図１８】
0005345324.tif 000019
【図１９】
0005345324.tif 000020
【図２０】
0005345324.tif 000021